(57)【要約】【課題】  規格化された色信号値で表現された画像信号を扱う際に、目的に応じた画像信号の解釈を行って、より好ましい色変換を行う画像処理装置及び画像処理方法を提供する。【解決手段】  規格通りの色変換を行う場合には、選択部１により規格色変換部２を選択し、規格色変換部２において入力画像信号に対して規格通りの色変換を行い、出力画像信号を出力する。例えばディスプレイの表示色に合わせた色再現を出力装置４で行う場合には、選択部１により修正色変換部３を選択し、またディスプレイの外部フレアー、内部フレアーなどの影響を考慮した修正量を設定し、修正色変換部３で修正量に従って規格に修正を加えて入力画像信号を出力画像信号に色変換する。これによって、ディスプレイにおける表示色を出力装置４で色再現することができる。【選択図】  図１
2005269570.tif 000002
【特許請求の範囲】
【請求項１】
規格化された色信号で表現した入力画像信号を出力装置に依存した出力画像信号に変換する画像処理装置において、前記入力画像信号を規格どおりに解釈して前記入力画像信号を前記出力画像信号に色変換する第１色変換手段と、前記入力画像信号に修正を加えて解釈して前記入力画像信号を前記出力画像信号に色変換する第２色変換手段と、前記入力画像信号に対して修正の必要性を判断し前記第１色変換手段あるいは前記第２色変換手段のいずれを用いるかを決定する選択手段を有することを特徴とする画像処理装置。
【請求項２】
入力装置に依存した入力画像信号を規格化された色信号で表現した出力画像信号に変換する画像処装置において、規格どおりに解釈すべき前記出力画像信号に前記入力画像信号を色変換する第１色変換手段と、規格に修正を加えて解釈すべき前記出力画像信号に前記入力画像信号を色変換する第２色変換手段と、前記出力画像について修正の必要性を判断し前記第１色変換手段あるいは前記第２色変換手段のいずれを用いるかを決定する選択手段を有することを特徴とする画像処理装置。
【請求項３】
前記第２色変換手段は、前記入力画像信号に対して修正を加えた後に、規格に従った色変換を行うことを特徴とする請求項１または請求項２に記載の画像処理装置。
【請求項４】
前記第２色変換手段は、前記入力画像信号に対して規格に従った色変換を行った後に、修正を加えることを特徴とする請求項１または請求項２に記載の画像処理装置。
【請求項５】
前記第２色変換手段は、前記入力画像信号に対して修正を加えた後に、規格に従った色変換を行う処理と、前記入力画像信号に対して規格に従った色変換を行った後に、修正を加える処理とを切替可能であり、前記選択手段は、前記第２色変換手段を選択した場合に処理順序についても選択することを特徴とする請求項１または請求項２に記載の画像処理装置。
【請求項６】
前記選択手段は、ユーザからの設定に従って修正の必要性を判断することを特徴とする請求項１ないし請求項４のいずれか１項に記載の画像処理装置。
【請求項７】
前記選択手段は、修正の必要性を判断するとともに、前記第２色変換手段で色変換を行う場合の修正量を決定することを特徴とする請求項１ないし請求項６のいずれか１項に記載の画像処理装置。
【請求項８】
前記選択手段は、ユーザからの設定に従って前記修正量を決定することを特徴とする請求項７に記載の画像処理装置。
【請求項９】
前記選択手段は、１ないし複数の修正量を記憶しており、選択的に利用可能であることを特徴とする請求項７または請求項８に記載の画像処理装置。
【請求項１０】
前記選択手段は、記憶している修正量のうちユーザの選択により修正量を決定することを特徴とする請求項９に記載の画像処理装置。
【請求項１１】
前記選択手段は、修正の必要性を判断するとともに、前記第２色変換手段における処理順序に対応した修正量を決定することを特徴とする請求項５に記載の画像処理装置。
【請求項１２】
前記選択手段は、使用した修正量を再利用可能に記憶しており、選択した前記第２色変換手段における処理順序に従って必要に応じて修正量を変換することを特徴とする請求項１１に記載の画像処理装置。
【請求項１３】
前記修正量は、ディスプレイの管面反射等による外部フレアーの影響を考慮した量であることを特徴とする請求項７ないし請求項１０のいずれか１項に記載の画像処理装置。
【請求項１４】
前記修正量は、ディスプレイの内部漏れ光等による内部フレアーの影響を考慮した量であることを特徴とする請求項７ないし請求項１０のいずれか１項に記載の画像処理装置。
【請求項１５】
前記修正量は、前記外部フレアーの影響と前記内部フレアーの影響の両方を考慮した量であることを特徴とする請求項７ないし請求項１０のいずれか１項に記載の画像処理装置。
【請求項１６】
前記第２色変換手段は、規格された色信号値で表現された画像信号の黒レベルを修正することを特徴とする請求項７ないし請求項１５のいずれか１項に記載の画像処理装置。
【請求項１７】
前記第２色変換手段は、規格された色信号値で表現される画像信号の信号値を、前記修正量から決定される信号値に、相対的に変換することを特徴とする請求項７ないし請求項１４のいずれか１項に記載の画像処理装置。
【請求項１８】
前記選択手段は、前記入力画像信号に対する修正の必要性の判断を、ページ単位で行うことを特徴とする請求項１ないし請求項１７のいずれか１項に記載の画像処理装置。
【請求項１９】
前記選択手段は、前記入力画像信号に対する修正の必要性の判断を、オブジェクト単位で行うことを特徴とする請求項１ないし請求項１７のいずれか１項に記載の画像処理装置。
【請求項２０】
前記選択手段は、前記入力画像信号の特徴量を調べ、該特徴量から判定される原稿種別に従って前記入力画像信号に対する修正の必要性の判断を行うことを特徴とする請求項１ないし請求項１９のいずれか１項に記載の画像処理装置。
【請求項２１】
前記選択手段は、前記入力画像信号から画像領域を抽出し、該画像領域について特徴量を調べて、該画像領域毎に修正の必要性を判定することを特徴とする請求項２０に記載の画像処理装置。
【請求項２２】
前記選択手段は、前記特徴量から修正量を算出することを特徴とする請求項２０または請求項２１に記載の画像処理装置。
【請求項２３】
前記選択手段は、前記入力画像信号に含まれているオブジェクトに関する情報あるいは前記特徴量から判定される原稿種別の情報を含む入力画像に関する情報をユーザに通知し、ユーザからの指定に従って前記第２色変換手段における修正量を決定することを特徴とする請求項２０ないし請求項２２のいずれか１項に記載の画像処理装置。
【請求項２４】
前記選択手段は、前記入力画像信号に対する前記第１色変換手段あるいは前記第２色変換手段のいずれかを適用した処理結果をユーザに提示し、ユーザからの指示に従って前記第１色変換手段あるいは前記第２色変換手段のいずれかを選択するとともに前記第２色変換手段を選択する場合の修正量を決定することを特徴とする請求項１ないし請求項２３のいずれか１項に記載の画像処理装置。
【請求項２５】
規格化された色信号で表現した入力画像信号を出力装置に依存した出力画像信号に変換する画像処理方法において、前記入力画像信号を規格どおりに解釈して色変換を行う第１色変換手段と、前記入力画像信号に修正を加えて解釈し色変換を行う第２色変換手段を有し、前記入力画像信号に対して修正の必要性を判断し、前記第１色変換手段あるいは前記第２色変換手段のいずれを用いるかを決定して、決定した前記第１色変換手段あるいは前記第２色変換手段で前記入力画像信号を前記出力画像信号に変換することを特徴とする画像処理方法。
【請求項２６】
入力装置に依存した入力画像信号を規格化された色信号で表現した出力画像信号に変換する画像処理方法において、規格どおりに解釈すべき前記出力画像信号に色変換する第１色変換手段と、規格に修正を加えて解釈すべき前記出力画像信号に色変換する第２色変換手段を有し、前記出力画像について修正の必要性を判断し、前記第１色変換手段あるいは前記第２色変換手段のいずれを用いるかを決定して、決定した前記第１色変換手段あるいは前記第２色変換手段で前記入力画像信号を前記出力画像信号に変換することを特徴とする画像処理方法。
【請求項２７】
前記第２色変換手段による色変換は、前記入力画像信号に対して修正を加えた後に、規格に従った色変換を行うことを特徴とする請求項２５または請求項２６に記載の画像処理方法。
【請求項２８】
前記第２色変換手段による色変換は、前記入力画像信号に対して規格に従った色変換を行った後に、修正を加えることを特徴とする請求項２５または請求項２６に記載の画像処理方法。
【請求項２９】
前記第２色変換手段は、前記入力画像信号に対して修正を加えた後に、規格に従った色変換を行う処理と、前記入力画像信号に対して規格に従った色変換を行った後に、修正を加える処理とを切替可能であり、前記第２色変換手段を選択した場合に処理順序についても選択することを特徴とする請求項２５または請求項２６に記載の画像処理方法。
【請求項３０】
前記修正の必要性の判断は、ユーザからの設定に従うことを特徴とする請求項２５ないし請求項２８のいずれか１項に記載の画像処理方法。
【請求項３１】
前記第２色変換手段を選択した場合には、修正量についても決定することを特徴とする請求項２５ないし請求項３０のいずれか１項に記載の画像処理方法。
【請求項３２】
前記修正量は、ユーザからの設定に従って決定することを特徴とする請求項３１に記載の画像処理方法。
【請求項３３】
１ないし複数の修正量を記憶しておき、選択的に利用することを特徴とする請求項３１または請求項３２に記載の画像処理方法。
【請求項３４】
記憶している修正量のうち、ユーザの選択により修正量を決定することを特徴とする請求項３３に記載の画像処理方法。
【請求項３５】
前記第２色変換手段を選択した場合には、前記第２色変換手段における処理順序に対応した修正量を決定することを特徴とする請求項２９に記載の画像処理方法。
【請求項３６】
前記第２色変換手段で使用した修正量を再利用可能に記憶しており、選択した前記第２色変換手段における処理順序に従って必要に応じて修正量を変換することを特徴とする請求項３５に記載の画像処理方法。
【請求項３７】
前記修正量は、ディスプレイの管面反射等による外部フレアーの影響を考慮した量であることを特徴とする請求項３１ないし請求項３４のいずれか１項に記載の画像処理方法。
【請求項３８】
前記修正量は、ディスプレイの内部漏れ光等による内部フレアーの影響を考慮した量であることを特徴とする請求項３１ないし請求項３４のいずれか１項に記載の画像処理方法。
【請求項３９】
前記修正量は、前記外部フレアーの影響と前記内部フレアーの影響の両方を考慮した量であることを特徴とする請求項３１ないし請求項３４のいずれか１項に記載の画像処理方法。
【請求項４０】
前記第２色変換手段は、規格された色信号値で表現された画像信号の黒レベルを修正することを特徴とする請求項３１ないし請求項３９のいずれか１項に記載の画像処理方法。
【請求項４１】
前記第２色変換手段は、規格された色信号値で表現される画像信号の信号値を、前記修正量から決定される信号値に、相対的に変換することを特徴とする請求項３１ないし請求項３８のいずれか１項に記載の画像処理方法。
【請求項４２】
前記入力画像信号に対する修正の必要性の判断を、ページ単位で行うことを特徴とする請求項２５ないし請求項４１のいずれか１項に記載の画像処理方法。
【請求項４３】
前記入力画像信号に対する修正の必要性の判断を、オブジェクト単位で行うことを特徴とする請求項２５ないし請求項４１のいずれか１項に記載の画像処理方法。
【請求項４４】
前記入力画像信号に対する修正の必要性の判断は、前記入力画像信号の特徴量を調べ、該特徴量から判定される原稿種別に従って行うことを特徴とする請求項２５ないし請求項４３のいずれか１項に記載の画像処理方法。
【請求項４５】
前記入力画像信号に対する修正の必要性の判断は、前記入力画像信号から画像領域を抽出し、該画像領域について特徴量を調べて、該画像領域毎に行うことを特徴とする請求項４４に記載の画像処理方法。
【請求項４６】
前記修正量は、前記特徴量から算出することを特徴とする請求項４４または請求項４５に記載の画像処理方法。
【請求項４７】
前記入力画像信号に含まれているオブジェクトに関する情報あるいは前記特徴量から判定される原稿種別の情報を含む入力画像に関する情報をユーザに通知し、ユーザからの指定に従って前記第２色変換手段における修正量を決定することを特徴とする請求項４４ないし請求項４６のいずれか１項に記載の画像処理方法。
【請求項４８】
前記入力画像信号に対する前記第１色変換手段あるいは前記第２色変換手段のいずれかを適用した処理結果をユーザに提示し、ユーザからの指示に従って前記第１色変換手段あるいは前記第２色変換手段のいずれかを選択するとともに前記第２色変換手段を選択する場合の修正量を決定することを特徴とする請求項２５ないし請求項４７のいずれか１項に記載の画像処理方法。
【発明の詳細な説明】
【技術分野】
【０００１】
本発明は、規格化された色信号で表現されたカラー画像信号を扱う画像処理技術に関するものである。
【背景技術】
【０００２】
規格化された色信号値として広く知られているものにｓＲＧＢがある。非特許文献１では、平均的なディスプレイの色再現特性とその観察環境を定義している。また現在、カラーデバイスの多くが、この色再現を基準に色を合わせている。
【０００３】
ｓＲＧＢ規格には
１．ディスプレイの色再現を平均的な色再現特性を用いて画一的に規定する
２．色を伝達する色空間を規定する
という２つの側面がある。
【０００４】
色を伝達する色空間としてのｓＲＧＢは、黒は完全な黒、ＲＧＢの各原色も全く混色のない純色となり、色再現域は最大である。しかし現実のディスプレイでは、管面反射による外部フレアや、内部フレアによる発光等があるため、Ｒ＝Ｇ＝Ｂ＝０の信号が入力されても、表示は完全な黒にはならず、またＲ＝２５５、Ｇ＝Ｂ＝０としても、Ｇ、Ｂも僅かな発光があるため、若干混色した赤が表示される。このため実際のディスプレイの色再現域はｓＲＧＢ色再現域よりも狭いものとなる。
【０００５】
図１７は、色再現域の一例の説明図である。図１７においては、ある色相における輝度（Ｌ）−彩度（Ｃ）平面における色再現域を模式化して示している。細い実線で囲まれた領域をｓＲＧＢにおける色再現域とすると、ディスプレイの色再現域は太い実線で囲まれた領域となる。一般に明度の低い領域で色再現できない場合が多い。
【０００６】
このようなディスプレイに表示する場合の対策としては、例えば特許文献１や特許文献２に記載されているように、ディスプレイにおける管面反射による色の見えを補正する技術が開発されている。また、例えば特許文献３に記載されているように、観察照明による色の見えの変化を補正する技術もある。いずれもディスプレイを参照した時の周囲の影響を排除して常に色の見えを合わせるように、ディスプレイへ表示するための色信号値を補正している。
【０００７】
一方、カラープリンタのように、ｓＲＧＢ信号で入力された色信号を、デバイス依存の色信号に変換し出力するような画像処理システムでは、ディスプレイの色の見えは必ずしも重要ではない。すなわち、ｓＲＧＢのように規格化された色信号値を受け取るのであれば、その規格通りに解釈し、色変換してプリントすればよい。例えばスキャナやデジタルカメラで取得された、規格化された色信号値で表現された画像信号に従って、そのままプリンタで出力する場合には、このように規格通りに解釈して出力すればよい。
【０００８】
しかし、一般的なコンピュータシステムの利用形態を考えると、ディスプレイに表示されている画像をプリンタで出力することも行われる。このような場合には、ディスプレイへの表示もプリンタによる出力も、ともに同じ規格に従って色変換して出力しているにもかかわらず、その色再現域の違いから色の見えが異なってしまうことがある。
【０００９】
上述の図１７において、破線によりプリンタの色再現域を示している。図を参照して分かるように、ディスプレイとは再現可能な色域が異なっている。そのため、例えばｓＲＧＢの色域における○で示した色は、プリンタでは例えば黒丸で示した色によって再現されるとする。しかしディスプレイに表示される色は例えば黒い三角で示した色で表示されてしまうと、ｓＲＧＢにおいては同じ色であったものが、ディスプレイに表示された色とプリンタでプリント出力された色とが異なってしまう。
【００１０】
このようにディスプレイに表示された色とプリンタで出力された色とが異なってしまうと、ディスプレイを用いて色を選択し、描画したにもかかわらず、プリントしたらその色が再現されないことになる。このような場合には、ディスプレイ上の色の見えに対応するように、規格化された色信号値で表現された画像信号を補正して解釈し、色変換するのが好ましい。すなわち、プリンタで出力する場合にも、図１７における○で示した色を黒い三角で示した色で出力することが望ましいと言える。
【００１１】
このように、画像信号が規格化されている場合、規格通りに解釈して出力すればよい場合と、例えば異なる出力装置において出力された色を合わせる場合のように、そのまま規格通りに解釈して出力したのではユーザにとって好ましくない色再現がなされる場合がある。しかし、従来は規格化された色信号値で表現された画像信号については規格通りに解釈して出力されており、それぞれの出力装置において色の見えが異なってしまうという問題が発生していた。
【００１２】
【特許文献１】特開２００２−２０９１１７号公報
【特許文献２】特開２００２−２８１５１８号公報
【特許文献３】特開平９−２１４７８７号公報
【非特許文献１】“Ｍｕｌｔｉｍｅｄｉａ  ｓｙｓｔｅｍｓ  ａｎｄ  ｅｑｕｉｐｍｅｎｔ  −  Ｃｏｌｏｕｒ  ｍｅａｓｕｒｅｍｅｎｔ  ａｎｄ  ｍａｎａｇｅｍｅｎｔ  −  Ｐａｒｔ  ２−１：  Ｃｏｌｏｕｒ  ｍａｎａｇｅｍｅｎｔ  −  Ｄｅｆａｕｌｔ  ＲＧＢ  ｃｏｌｏｕｒ  ｓｐａｃｅ  −  ｓＲＧＢ”，スイス，ＩＮＴＥＲＮＡＴＩＯＮＡＬ  ＥＬＥＣＴＲＯＴＥＣＨＮＩＣＡＬ  ＣＯＭＭＩＳＳＩＯＮ，ＩＥＣ  ６１９６６−２−１，１９９９．１０
【発明の開示】
【発明が解決しようとする課題】
【００１３】
本発明は、上述した事情に鑑みてなされたもので、規格化された色信号値で表現された画像信号を扱う際に、目的に応じて画像信号の解釈を変更し、より好ましい色変換を行うことが可能な画像処理装置及び画像処理方法を提供することを目的とするものである。
【課題を解決するための手段】
【００１４】
本発明は、規格化された色信号で表現した入力画像信号を出力装置に依存した出力画像信号に変換する画像処理装置及び画像処理方法において、入力画像信号を規格どおりに解釈して色変換を行う第１色変換手段と、入力画像信号に修正を加えて解釈し色変換を行う第２色変換手段を設け、入力画像信号に対して修正の必要性を判断し、第１色変換手段あるいは第２色変換手段のいずれを用いるかを決定して、決定した第１色変換手段あるいは第２色変換手段で入力画像信号を出力画像信号に変換することを特徴とするものである。
【００１５】
また本発明は、入力装置に依存した入力画像信号を規格化された色信号で表現した出力画像信号に変換する画像処理装置及び画像処理方法において、規格どおりに解釈すべき出力画像信号に色変換する第１色変換手段と、規格に修正を加えて解釈すべき出力画像信号に色変換する第２色変換手段を設け、出力画像について修正の必要性を判断し、第１色変換手段あるいは第２色変換手段のいずれを用いるかを決定して、決定した第１色変換手段あるいは第２色変換手段で入力画像信号を出力画像信号に変換することを特徴とするものである。
【００１６】
なお、第２色変換手段による色変換は、入力画像信号に対して修正を加えた後に、規格に従った色変換を行ったり、あるいは入力画像信号に対して規格に従った色変換を行った後に、修正を加えるように構成することができる。あるいは、両者を選択的に利用可能に構成することもできる。
【００１７】
また、第２色変換手段で修正を行う際の修正量についても決定することができる。修正量としては、ディスプレイの管面反射等による外部フレアーや内部漏れ光等による内部フレアーの影響を考慮した量とすることができる。また、規格された色信号値で表現された画像信号の黒レベルを修正することもできる。さらに、規格された色信号値で表現される画像信号の信号値を、前記修正量から決定される信号値に、相対的に変換するように構成することもできる。
【００１８】
修正量は、いくつか記憶しておいて選択的に利用することができる。また、使用した修正量を記憶しておいて再利用可能に構成することもできる。さらに、第２色変換手段で処理の順序を変更可能である場合には、その処理順序に応じた修正量を決定することができる。このとき、一方の処理順序で使用した修正量を記憶しておいて再利用することができ、その修正量を他方の処理順序で利用する際に、その処理順序で適した処理量に変換して使用するように構成することができる。なお、修正の必要性及び修正量について、ユーザからの設定に従って決定することもできる。
【００１９】
入力画像信号に対する修正の必要性の判断は、ページ単位で行ったり、あるいはオブジェクト単位など、所定の単位で行うことができる。また、入力画像信号から画像領域を抽出し、該画像領域について特徴量を調べて、該画像領域毎に判断を行うこともできる。さらに、入力画像信号の特徴量を調べ、その特徴量から判定される原稿種別に従って判断することもできる。なお、入力画像の特徴量を調べた場合、その特徴量から修正量を算出するように構成してもよい。
【００２０】
上述のような入力画像信号に対する修正の必要性の判断や修正量の設定をユーザが行う場合、例えば上述のような特徴量あるいは特徴量から得られた原稿種別や各画像領域毎の特徴量などをユーザに通知し、あるいは処理結果をユーザに提示するプレビュー機能を搭載し、ユーザによる設定を支援することができる。
【発明の効果】
【００２１】
本発明によれば、入力画像信号を規格どおりに解釈して色変換を行う第１色変換手段と、入力画像信号に修正を加えて解釈し色変換を行う第２色変換手段を設け、あるいは、規格どおりに解釈すべき出力画像信号に色変換する第１色変換手段と、規格に修正を加えて解釈すべき出力画像信号に色変換する第２色変換手段を設け、選択的に利用して入力画像信号を出力画像信号に変換するものとした。これによって、例えばデジタルカメラで撮影した画像などのように規格通りに解釈して出力する場合には第１色変換手段で変換すればよい。また、その画像をディスプレイに表示した時と同じ色で出力したい場合や、オフィス文書など、ディスプレイを参照しながら作成された画像については、第２色変換手段で変換することにより、ディスプレイで参照した色をプリンタなどの出力装置で再現することができる。
【００２２】
このように本発明によれば、目的に応じて、画像信号の解釈を変更し、より好ましい色変換を行うことができるという効果がある。
【発明を実施するための最良の形態】
【００２３】
図１は、本発明の第１の実施の形態を示すブロック図である。図中、１は選択部、２は規格色変換部、３は修正色変換部、４は出力装置である。この第１の実施の形態では、規格化された色信号値で表現された入力画像信号を、出力装置４に依存した出力画像信号に変換する場合の構成例を示している。なお、入力画像信号はｓＲＧＢであり、出力装置４が受け取る出力画像信号はＣＭＹＫであるものとするが、本発明はこれに限らず、ｓＹＣＣなどの他の規格化された色信号値で表現された画像信号であって良い。また、出力画像信号についても出力装置４が受け取る任意の色空間の画像信号であって良い。
【００２４】
本発明は、大きく選択部１、規格色変換部２、修正色変換部３を有しており、規格色変換部２または修正色変換部３のいずれかから出力される出力画像信号が出力装置４に出力される。規格色変換部２は、入力画像信号を規格どおりに解釈して、入力画像信号を出力画像信号に色変換する。ここでは入力画像信号はｓＲＧＢであるので、ｓＲＧＢの規格通りに解釈して色変換を行う。また修正色変換部３は、入力画像信号に修正を加えて解釈して、入力画像信号を出力画像信号に色変換する。例えば、ディスプレイ等の他の出力装置における色の見えに合わせるように修正を加えることができる。
【００２５】
選択部１は、入力画像信号に対して修正の必要性を判断し、規格色変換部２あるいは修正色変換部３のいずれを用いるかを決定する。この判断は、例えばページ単位で行ったり、あるいはオブジェクト単位など、所定の単位で行うことができる。また、入力画像信号から画像領域を抽出し、該画像領域について特徴量を調べて、その画像領域毎に判断を行うこともできる。
【００２６】
また、修正色変換部３を用いると決定した場合には、修正色変換部３で修正を行う際の修正量についても決定する。規格色変換部２あるいは修正色変換部３のいずれを用いるか、及び修正色変換部３で修正を行う際の修正量は、ユーザによる設定に従うほか、例えば入力画像信号から特徴量を得て、その特徴量に従って決定することができる。なお、修正量は単一の値でなくてもよく、例えば関数として与えたり、テーブルとして与えるなど、種々の方法が考えられる。例えば関数やテーブルとして与える場合には、色域に応じた修正量を設定することが可能である。また修正量については、あらかじめ、あるいは使用した特徴量を１ないし複数記憶しておき、再利用できるようにしてもよい。複数記憶されている場合には、ユーザが、あるいは自動的に選択すればよい。なお、入力画像信号の特徴量を調べる場合には、その特徴量から修正量を算出するように構成してもよい。
【００２７】
さらに、上述のような入力画像信号に対する修正の必要性の判断や修正量の設定をユーザが行う場合、例えば上述のような特徴量あるいは特徴量から得られた原稿種別や各画像領域毎の特徴量などをユーザに通知し、あるいは処理結果をユーザに提示するプレビュー機能を搭載し、ユーザによる設定を支援することができる。
【００２８】
このような構成において、例えば、デジタルカメラで撮影した画像やスキャナで読み取った画像で規格化された色信号値で表現された例えばｓＲＧＢなどの画像信号が入力画像信号として入力され、出力装置４で例えばプリント出力する場合には、規格通りの色変換を行えばよい。このような場合には、選択部１は規格色変換部２を選択する。規格色変換部２はｓＲＧＢの入力画像信号に対して規格通りの色変換を行ってＣＭＹＫの出力画像信号を出力する。出力装置４は、この出力画像信号に従って画像をプリントすればよい。これによって、規格に従った好ましい色再現により画像をプリントすることができる。
【００２９】
また、例えば同じデジタルカメラで撮影した画像やスキャナで読み取った画像でも、ディスプレイに表示した色をプリンタなどの出力装置４で再現したい場合や、ビジネス文書や、レタッチソフトウェアなどによって作成された画像など、もともとユーザがディスプレイを用いて色を確認している画像を出力装置４で例えばプリント出力する場合には、規格通りに解釈するよりも補正を行った方が好ましい。すなわち、ディスプレイに表示する元となっている画像信号（入力画像信号）が規格化された色信号値で表現された例えばｓＲＧＢなどの画像信号であっても、ディスプレイの特性上、上述の外部フレアーや内部フレアーの影響を受けている。そのため、規格通りの色変換を行って出力装置４でプリントしても、ディスプレイの表示色とは異なる色再現がなされる場合がある。そのため、補正を加えることによって色再現を一致させるとよい。
【００３０】
この場合には、選択部１は修正色変換部３を選択する。また、ディスプレイの管面反射等による外部フレアーの影響を考慮した量、あるいはディスプレイの内部漏れ光等による内部フレアーの影響を考慮した量、またはその両方を考慮した修正量を修正色変換部３に設定する。修正色変換部３では、入力画像信号に対して規格通りの色変換とともに、選択部１により設定された修正量に従った色の修正処理を行い、出力画像信号として出力する。このように修正された出力画像信号に従って出力装置４がプリントすることによって、ディスプレイの表示色と略等しい色再現が可能となる。この場合、規格とは異なる色再現となるが、ディスプレイで色を確認しているユーザにとっては好ましい色再現を提供することができる。
【００３１】
このように本発明では、規格通りの色変換を行えばよい場合にも、また、ディスプレイ等の他の出力装置における色再現に合わせる場合にも、いずれにも対応してそれぞれにおいて好ましい色再現を実現することができる。
【００３２】
次に本発明の第１の実施の形態における動作について説明するが、簡単には、選択部１によって規格色変換部２または修正色変換部３のいずれかを選択して、選択された色変換部により入力画像信号を出力画像信号に変換することになる。上述のように、選択部１は入力画像信号に対する修正の必要性の判断や修正量の決定などを、入力画像信号全体に対して一律に行うほか、ページ単位やオブジェクト単位など、所定の単位で行うことができる。ここではより具体的な動作例として、オブジェクト単位で修正の必要性を判断する例を示す。
【００３３】
図２は、本発明の第１の実施の形態における入力画像信号の具体例の説明図、図３は、同じくオブジェクト単位で修正の必要性を判断する場合の動作の一例を示すフローチャートである。ここでは、例えば図２に示すように、１ページの画像の中に、テキストオブジェクト、グラフィックオブジェクト、イメージオブジェクトが混在している場合を想定し、またこれらのオブジェクト単位で、規格の修正の必要性を判断する。
【００３４】
まずＳ１１，Ｓ１２，Ｓ１３により、オブジェクトの種類を判別する。なお、Ｓ１１〜Ｓ１３による判定の順序は任意である。Ｓ１１でテキストオブジェクトであると判定された場合には、続いてＳ１４において、テキストオブジェクトには修正が必要であるか否かを判断する。修正の必要がなければ、規格色変換部２を用いることと決定し、Ｓ１５において、規格色変換部２は入力画像信号中のテキストオブジェクトを規格通りに解釈して出力画像信号に変換する。また、修正の必要がある場合には、修正色変換部３を用いることと決定し、Ｓ１６において、入力画像信号中のテキストオブジェクトについて、規格に修正を加えて解釈し、出力画像信号に変換する。
【００３５】
Ｓ１２でグラフィックオブジェクトであると判定された場合には、続いてＳ１７において、グラフィックオブジェクトには修正が必要であるか否かを判断する。修正の必要がなければ、規格色変換部２を用いることと決定し、Ｓ１８において、規格色変換部２は入力画像信号中のグラフィックオブジェクトを規格通りに解釈して出力画像信号に変換する。また、修正の必要がある場合には、修正色変換部３を用いることと決定し、Ｓ１９において、入力画像信号中のグラフィックオブジェクトについて、規格に修正を加えて解釈し、出力画像信号に変換する。
【００３６】
Ｓ１３でイメージオブジェクトであると判定された場合には、続いてＳ２０において、イメージオブジェクトには修正が必要であるか否かを判断する。修正の必要がなければ、規格色変換部２を用いることと決定し、Ｓ２１において、規格色変換部２は入力画像信号中のイメージオブジェクトを規格通りに解釈して出力画像信号に変換する。また、修正の必要がある場合には、修正色変換部３を用いることと決定し、Ｓ２２において、入力画像信号中のイメージオブジェクトについて、規格に修正を加えて解釈し、出力画像信号に変換する。
【００３７】
このようにオブジェクト単位で修正の必要性を判断することによって、例えば図２に示したような画像では、テキストオブジェクトとグラフィックオブジェクトには規格に修正を加えて解釈して色変換を行い、イメージオブジェクトについては規格通りに解釈して色変換を行う等といったように、それぞれのオブジェクトについて所望の色再現を得ることができる。
【００３８】
なお、この例ではテキストオブジェクト、グラフィックオブジェクト、イメージオブジェクトの３種類に分類した例を示したが、これに限らず、２種類、あるいは４種類以上でもよいし、分類するオブジェクトの種類もこれらに限られるものではない。
【００３９】
図４は、本発明の第１の実施の形態における修正色変換部３の第１の例を示すブロック図である。図中、１１は色変換部、１２は修正部である。修正色変換部３は、上述のように規格に修正を加えて解釈して、入力画像信号を出力画像信号に色変換するが、このとき、修正処理と規格通りの色変換処理を一体的に処理するほか、それぞれ分離して実行することができる。図４に示す例では、修正色変換部３は、色変換部１１及び修正部１２を有しており、規格通りの色変換を行った後の画像信号に対して修正処理を施す例を示している。
【００４０】
色変換部１１は、入力画像信号を、その入力画像信号の規格であるｓＲＧＢの規格通りに解釈して色変換を行う。色変換の方法は任意であり、例えばマトリクスによる変換やルックアップテーブルによる変換など、公知の技術を用いることができる。
【００４１】
修正部１２は、色変換部１１で色変換した結果に対して、選択部１から設定される修正量に応じて修正を加え、出力画像信号とする。修正は、与えられた画像信号の信号値を修正量から決定される信号値に相対的に変換することによって行うことができる。ディスプレイの表示色に合わせる場合には、上述の具体例のようにディスプレイの管面反射等による外部フレアーの影響や内部漏れ光等による内部フレアーの影響を考慮し、これらの影響を受けた後の表示色が再現されるように修正すればよい。内部フレアーに関しては、黒レベルの修正で対応することができる。また、外部フレアーについては色の修正が必要である。この外部フレアー等による色の見えを考慮することで、規格通りの色変換では色域圧縮率が高かった色に関しても、ディスプレイの表示色からの色域圧縮となるため良好に色再現することができる。
【００４２】
図５は、本発明の第１の実施の形態の修正色変換部３の第１の例における動作の一例を示すフローチャートである。まずＳ３１において、選択部１は入力画像信号から修正が必要であるか否かを判断する。修正が必要ないと判断される場合には、Ｓ３２において、規格色変換部２を使用するものとして決定し、規格色変換部２が入力画像信号を規格通りに解釈して出力画像信号に変換する。
【００４３】
一方、Ｓ３１で修正が必要であると判断された場合には、修正色変換部３を使用するものと決定するとともに、修正部１２に対する修正量を決定する。そして、Ｓ３３において、修正色変換部３の色変換部１１は、入力画像信号を規格通りに解釈して色変換処理を行い、その後Ｓ３４において、修正部１２は選択部１から設定される修正量に従った修正処理を行い、出力画像信号として出力する。
【００４４】
このように、規格に修正を加えて変換を行う際には、規格通りの色変換と、修正処理とをこの順で行い、実現することができる。
【００４５】
図６は、本発明の第１の実施の形態における修正色変換部３の第２の例を示すブロック図である。図中の符号は図４と同様であり、重複する説明を省略する。この第２の例では、修正色変換部３の構成として、入力画像信号に対して修正を行ってから、規格通りの色変換を行う場合の構成例を示している。
【００４６】
修正部１２は、入力画像信号に対して選択部１から設定される修正量に応じて修正を加えて出力する。色変換部１１は、修正部１２によって修正された画像信号を、入力画像信号の規格どおりに解釈して色変換し、出力画像信号として出力する。なお、この第２の例では修正部１２が入力画像信号に対して修正を行うため、選択部１においても、入力画像信号に対する修正量を設定することになる。それ以外の修正部１２及び色変換部１１の機能は上述の第１の例と同様である。
【００４７】
図７は、本発明の第１の実施の形態の修正色変換部３の第２の例における動作の一例を示すフローチャートである。なお、選択部１において修正の必要性を判断し、修正の必要がない場合については図５と同様である。Ｓ３１で修正が必要であると判断された場合には、修正色変換部３を使用するものと決定するとともに、修正部１２に対する修正量を決定する。そしてＳ３５において、修正部１２は選択部１から設定される修正量に従って入力画像信号に対して修正処理を行う。Ｓ３６において、色変換部１１は修正部１２で修正処理が施された入力画像信号を規格通りに解釈して色変換処理を行い、出力画像信号として出力する。
【００４８】
このように、この第２の例において規格に修正を加えて変換を行う際には、修正処理と、規格通りの色変換とをこの順で行い、実現することができる。
【００４９】
図８は、本発明の第１の実施の形態の修正色変換部３の第３の例における動作の一例を示すフローチャートである。図４，図５に示した第１の例と図６，図７に示した第２の例とを適宜切り替えて用いることも可能である。すなわち、Ｓ３１で修正が必要であると判断された場合に、第１の例と第２の例のいずれの順序で処理を行うかについても判断する。この判断は、例えばユーザから指示を受けるように構成することができる。
【００５０】
修正が必要であると判断され、第１の例のように色変換、修正処理の順が選択された場合には、Ｓ３３、Ｓ３４の順で処理を行う。また、第２の例のように修正処理、色変換の順が選択された場合には、Ｓ３５、Ｓ３６の順で処理を行えばよい。
【００５１】
この第３の例のように処理順序を選択可能である場合、修正処理で用いる修正量に対応するパラメータは、処理対象の信号が違うため、異なった値となる。上述のように修正量を記憶しておいて再利用可能とする場合、処理順序によって区別して修正量を記憶しておく必要がある。また、記憶している修正量を用いる場合、上述のように一方の処理順序で用いた修正量は他方の処理順序ではそのまま適用できない。しかし、一方の処理順序で用いた修正量を、他方の処理順序の場合に適用できるような変換機構を設けることによって、いずれの処理順序に対しても同じ修正量の情報を利用可能に構成することができる。
【００５２】
図９は、本発明の第２の実施の形態を示すブロック図である。図中、図１と同様の部分には同じ符号を付して重複する説明を省略する。５は入力装置である。この第２の実施の形態では、入力装置５に依存した入力画像信号を、規格化された色信号値で表現された出力画像信号に変換する場合の構成例を示している。なお、入力画像信号は入力装置５に依存したＲＧＢ（ｄＲＧＢと表記することがある）であり、出力画像信号は規格化されたｓＲＧＢであるものとするが、本発明はこれに限られないことは上述の第１の実施の形態と同様である。
【００５３】
本発明は、大きく選択部１、規格色変換部２、修正色変換部３を有しており、入力装置５から入力画像信号を受け取る。規格色変換部２は、規格どおりに解釈すべき出力画像信号に入力画像信号を色変換する。ここでは、入力装置５に依存したｄＲＧＢの入力画像信号を、ｓＲＧＢの規格通りの出力画像信号に変換する。また修正色変換部３は、規格に修正を加えて解釈すべき出力画像信号に入力画像信号を色変換する。
【００５４】
選択部１は、出力画像信号について修正の必要性を判断し、規格色変換部２あるいは修正色変換部３のいずれを用いるかを決定する。この判断は、上述の第１の実施の形態と同様、例えばページ単位で行ったり、あるいはオブジェクト単位など、所定の単位で行うことができる。また、入力画像信号から画像領域を抽出し、該画像領域について特徴量を調べて、その画像領域毎に判断を行うこともできる。また、修正色変換部３を用いると決定した場合に、修正色変換部３で修正を行う際の修正量を決定することについても第１の実施の形態と同様であり、同じく各種の変形が可能である。
【００５５】
このような構成において、例えば、入力装置５で入力した画像をそのまま保存したり、プリンタなどの出力装置でプリント出力する場合には、規格通りの色変換を行って出力画像信号とすればよい。このような場合には、選択部１において規格色変換部２を用いることと決定し、入力装置５に依存したＲＧＢの入力画像信号に対して、出力画像信号の規格であるｓＲＧＢの規格通りの色変換を行ってｓＲＧＢの出力画像信号を出力すればよい。例えば出力画像信号をプリンタなどの出力装置に渡し、出力装置において出力画像信号に従って画像をプリントすれば、規格に従った好ましい色再現により画像をプリントすることができる。
【００５６】
また、例えば入力装置５で読み取った画像をディスプレイに表示させて色などを確認した上で、プリンタでプリント出力するような利用形態を考えると、同じ出力画像信号をディスプレイとプリンタに与えても、ディスプレイに表示される色とプリント出力された色とで相違してしまう場合が発生する。これでは、ディスプレイで色の確認を行っても無駄になってしまう。
【００５７】
この第２の実施の形態では、入力装置５で画像を読み取って規格化された出力画像信号を出力する過程で、このような出力装置における色再現性の違いを考慮して修正色変換部３で規格に修正を加えて色変換を行う。すなわち、ディスプレイでユーザが参照している色をプリンタでも再現する場合には、選択部１において、ユーザは、ディスプレイの管面反射等による外部フレアーの影響を考慮した量、あるいはディスプレイの内部漏れ光等による内部フレアーの影響を考慮した量、またはその両方を考慮した量を修正量として選択あるいは設定して、修正色変換部３で色変換を行い、出力画像信号として出力する。このように規格に修正を加えて解釈すべき出力画像信号に従ってプリンタがプリント出力することによって、ディスプレイの表示色と略等しい色再現が可能となる。これにより、上述のような利用形態におけるユーザにとって、好ましい色再現を提供することができる。逆に、ディスプレイで表示する際に、上述の影響を除くような修正を施した出力画像信号をディスプレイに出力し、プリンタには規格通りの出力画像信号を出力するといった利用も可能である。なお、この実施の形態では、ディスプレイに表示する場合とプリンタによりプリント出力する場合など、異なる出力装置に出力する場合には、それぞれ、画像の入力を行うか、あるいは入力装置５に依存した入力画像信号を保存しておくことになる。
【００５８】
このように本発明では、規格通りの色変換を行えばよい場合にも、また、ディスプレイとプリンタ等の各種の出力装置における色再現を合わせる場合にも、いずれにも対応してそれぞれにおいて好ましい色再現を実現することができる。
【００５９】
次に本発明の第２の実施の形態における動作について説明するが、簡単には、選択部１によって規格色変換部２または修正色変換部３のいずれかを選択して、選択された色変換部により入力画像信号を出力画像信号に変換することになる。上述のように、選択部１は入力画像信号に対する修正の必要性の判断や修正量の決定などを、入力画像信号全体に対して一律に行うほか、ページ単位や、図３で説明したようなオブジェクト単位など、所定の単位で行うことができる。ここでは別の判断の単位として、画像領域を自動的に抽出し、その画像領域の特徴量を調べて属性を判定し、その属性ごとに修正の必要性を判断する例を示す。
【００６０】
図１０は、本発明の第２の実施の形態における入力画像信号から画像領域毎の属性の判定を行う具体例の説明図、図１１は、同じく画像領域の属性ごとに修正の必要性を判断する場合の動作の一例を示すフローチャートである。ここでは、例えば図１０に示すように、１ページの画像の中に、テキスト部分やグラフィック部分、イメージ部分などが混在している場合を想定する。入力装置５でこのような原稿を読み取ると、その読み取った画像自体は図１０（Ａ）に示すようなラスタ画像である。このようなラスタ画像が入力画像信号として与えられると、Ｓ４１において、ラスタ画像から画像領域を抽出する。図１０に示す例では、図１０（Ｂ）に示すように、グラフィック部分、イメージ部分は黒く塗りつぶしている部分が領域として抽出される。また、テキスト部分については、ここでは文字部分がそのまま、それぞれの文字ごとにテキスト領域として抽出されたものとしている。もちろん、行単位や段落あるいは文字のかたまりの単位で抽出されてもよい。
【００６１】
画像領域が抽出されたら、Ｓ４２において、それぞれの画像領域の特徴量を調べる。例えば色の特徴量を調べることによって、写真などのイメージ部分とその他の部分を分けることができるし、領域の大きさや形状などを調べることによりグラフィック部分とテキスト部分も分けることができる。これらの画像領域の分類に関しては、従来より様々な技術が開発されており、公知の手法を適用すればよい。例えば図１０（Ｃ）に示すように、テキスト部分、グラフィック部分、イメージ部分の領域に分けることができる。これらの領域には、それぞれの属性を設定しておく。また、それぞれの画像領域の特徴量から、修正を行う場合の修正量についても算出しておく。
【００６２】
なお、このように画像領域を抽出し、特徴量から修正量を算出したら、例えばユーザが利用している表示装置などに画像領域とその位置に修正量を表示して、ユーザの確認を受けるように構成してもよい。この時、ユーザが修正量の変更や画像領域の修正などが可能なように構成してもよい。
【００６３】
続いてＳ４３，Ｓ４４，Ｓ４５により、それぞれの画像領域の属性を判別する。なお、Ｓ４３〜Ｓ４５による判定の順序は任意である。Ｓ４３でテキストの属性が設定された画像領域であると判定された場合には、続いてＳ４６において、テキスト領域には修正が必要であるか否かを判断する。修正の必要がなければ、規格色変換部２を用いることと決定し、Ｓ４７において、規格色変換部２は入力画像信号中のテキスト領域を規格通りに解釈すべき出力画像信号に変換する。また、修正の必要がある場合には、修正色変換部３を用いることと決定し、Ｓ４８において、入力画像信号中のテキスト領域について、規格に修正を加えて解釈すべき出力画像信号に変換する。
【００６４】
Ｓ４４でグラフィックの属性が設定された画像領域であると判定された場合には、続いてＳ４９において、グラフィック領域には修正が必要であるか否かを判断する。修正の必要がなければ、規格色変換部２を用いることと決定し、Ｓ５０において、規格色変換部２は入力画像信号中のグラフィック領域について規格通りに解釈すべき出力画像信号に変換する。また、修正の必要がある場合には、修正色変換部３を用いることと決定し、Ｓ５１において、入力画像信号中のグラフィック領域について、規格に修正を加えて解釈すべき出力画像信号に変換する。
【００６５】
Ｓ４５でイメージの属性が設定された画像領域であると判定された場合には、続いてＳ５２において、イメージ領域には修正が必要であるか否かを判断する。修正の必要がなければ、規格色変換部２を用いることと決定し、Ｓ５３において、規格色変換部２は入力画像信号中のイメージ領域について規格通りに解釈すべき出力画像信号に変換する。また、修正の必要がある場合には、修正色変換部３を用いることと決定し、Ｓ５４において、入力画像信号中のイメージ領域について、規格に修正を加えて解釈すべき出力画像信号に変換する。
【００６６】
このようにして、画像領域を抽出し、それぞれの画像領域の属性ごとに修正の必要性を判断することによって、例えば図１０に示したような画像では、テキスト領域とグラフィック領域については規格に修正を加えて解釈すべき出力画像信号へ色変換し、イメージ領域については規格通りに解釈すべき出力画像信号に色変換する等といったように、それぞれの領域の属性ごとに、所望の色再現を得ることができる。
【００６７】
なお、この例では抽出した画像領域をテキスト領域、グラフィック領域、イメージ領域の３種類に分類した例を示したが、これに限らず、２種類、あるいは４種類以上でもよいし、設定する属性もこれらに限られるものではない。
【００６８】
図１２は、本発明の第２の実施の形態における修正色変換部３の第１の例を示すブロック図である。図中の符号は図４、図９と同様であり、重複する説明を省略する。この第２の実施の形態においても、修正色変換部３は、一体的に構成するほか、規格通りの色変換を行う色変換部１１と、修正処理を行う修正部１２により構成することができる。図１２に示した例では、規格通りの色変換を行った後の画像信号に対して修正処理を施す例を示している。
【００６９】
色変換部１１は、入力画像信号を、出力画像信号の規格であるｓＲＧＢの規格通りに解釈すべき画像信号へ色変換する。色変換の方法は任意であり、例えばマトリクスによる変換やルックアップテーブルによる変換など、公知の技術を用いることができる。修正部１２は、色変換部１１で色変換した結果に対して、選択部１から設定される修正量に応じて修正を加え、出力画像信号とする。
【００７０】
図１３は、本発明の第２の実施の形態の修正色変換部３の第１の例における動作の一例を示すフローチャートである。まずＳ６１において、選択部１は出力画像信号が修正が必要であるか否かを判断する。修正が必要ないと判断される場合には、Ｓ６２において、規格色変換部２を使用するものとして決定し、規格色変換部２が入力画像信号を規格通りに解釈すべき出力画像信号に変換する。
【００７１】
一方、Ｓ６１で修正が必要であると判断された場合には、修正色変換部３を使用するものと決定するとともに、修正部１２に対する修正量を決定する。そして、Ｓ６３において、修正色変換部３の色変換部１１は、入力画像信号を規格通りに解釈すべき画像信号に色変換し、その後Ｓ６４において、修正部１２は選択部１から設定される修正量に従った修正処理を行い、出力画像信号として出力する。このように、規格に修正を加えて変換を行う際には、規格通りに解釈すべき画像信号に色変換してから、修正処理を行うことで、実現することができる。
【００７２】
図１４は、本発明の第２の実施の形態における修正色変換部３の第２の例を示すブロック図である。図中の符号は図１２と同様であり、重複する説明を省略する。この第２の例では、修正色変換部３の構成として、入力画像信号に対して修正を行ってから、規格通りの色変換を行う場合の構成例を示している。
【００７３】
修正部１２は、入力画像信号に対して選択部１から設定される修正量に応じて修正を加えて出力する。色変換部１１は、修正部１２によって修正された画像信号を、規格どおりに解釈すべき出力画像信号に色変換し、出力する。なお、この第２の例では修正部１２が入力画像信号に対して修正を行うため、選択部１においても、入力画像信号に対する修正量を設定することになる。それ以外の修正部１２及び色変換部１１の機能は上述の第１の例と同様である。
【００７４】
図１５は、本発明の第２の実施の形態の修正色変換部３の第２の例における動作の一例を示すフローチャートである。なお、選択部１において修正の必要性を判断し、修正の必要がない場合については図１３と同様である。Ｓ６１で修正が必要であると判断された場合には、修正色変換部３を使用するものと決定するとともに、修正部１２に対する修正量を決定する。そしてＳ６５において、修正部１２は選択部１から設定される修正量に従って入力画像信号に対して修正処理を行う。Ｓ６６において、色変換部１１は修正部１２で修正処理が施された入力画像信号を、規格通りに解釈すべき出力画像信号に色変換し、出力する。このように、この第２の例において規格に修正を加えて変換を行う際には、修正処理と、規格通りの色変換とをこの順で行い、実現することができる。
【００７５】
図１６は、本発明の第２の実施の形態の修正色変換部３の第３の例における動作の一例を示すフローチャートである。図１２，図１３に示した第１の例と図１４，図１５に示した第２の例とを適宜切り替えて用いることも可能である。すなわち、Ｓ６１で修正が必要であると判断された場合に、第１の例と第２の例のいずれの順序で処理を行うかについても判断する。この判断は、例えばユーザから指示を受けるように構成することができる。
【００７６】
修正が必要であると判断され、第１の例のように色変換、修正処理の順が選択された場合には、Ｓ６３、Ｓ６４の順で処理を行う。また、第２の例のように修正処理、色変換の順が選択された場合には、Ｓ６５、Ｓ６６の順で処理を行えばよい。
【００７７】
なお、処理順序により修正部１２で用いる修正量が異なることは上述の第１の実施の形態と同様であり、また一方の処理順序で用いた修正量を、他方の処理順序の場合に適用する際に変換機構を用いる構成についても、そのまま適用可能である。
【００７８】
上述の第１及び第２の実施の形態では、選択部１を規格色変換部２及び修正色変換部３の前段に配置したように図示しているが、これに限らず、選択部１を規格色変換部２及び修正色変換部３の後段に設け、両者の処理結果を選択的に出力するように構成してもよい。あるいは、入力画像信号を規格色変換部２及び修正色変換部３に直接入力し、選択部１は規格色変換部２と修正色変換部３を制御する制御手段として構成することも可能である。
【図面の簡単な説明】
【００７９】
【図１】本発明の第１の実施の形態を示すブロック図である。
【図２】本発明の第１の実施の形態における入力画像信号の具体例の説明図である。
【図３】本発明の第１の実施の形態においてオブジェクト単位で修正の必要性を判断する場合の動作の一例を示すフローチャートである。
【図４】本発明の第１の実施の形態における修正色変換部３の第１の例を示すブロック図である。
【図５】本発明の第１の実施の形態の修正色変換部３の第１の例における動作の一例を示すフローチャートである。
【図６】本発明の第１の実施の形態における修正色変換部３の第２の例を示すブロック図である。
【図７】本発明の第１の実施の形態の修正色変換部３の第２の例における動作の一例を示すフローチャートである。
【図８】本発明の第１の実施の形態の修正色変換部３の第３の例における動作の一例を示すフローチャートである。
【図９】本発明の第２の実施の形態を示すブロック図である。
【図１０】本発明の第２の実施の形態における入力画像信号から画像領域毎の属性の判定を行う具体例の説明図である。
【図１１】本発明の第２の実施の形態において画像領域の属性ごとに修正の必要性を判断する場合の動作の一例を示すフローチャートである。
【図１２】本発明の第２の実施の形態における修正色変換部３の第１の例を示すブロック図である。
【図１３】本発明の第２の実施の形態の修正色変換部３の第１の例における動作の一例を示すフローチャートである。
【図１４】本発明の第２の実施の形態における修正色変換部３の第２の例を示すブロック図である。
【図１５】本発明の第２の実施の形態の修正色変換部３の第２の例における動作の一例を示すフローチャートである。
【図１６】本発明の第２の実施の形態の修正色変換部３の第３の例における動作の一例を示すフローチャートである。
【図１７】色再現域の一例の説明図である。
【符号の説明】
【００８０】
１…選択部、２…規格色変換部、３…修正色変換部、４…出力装置、５…入力装置、１１…色変換部、１２…修正部。
【図１】
2005269570.tif 000003
【図２】
2005269570.tif 000004
【図３】
2005269570.tif 000005
【図４】
2005269570.tif 000006
【図５】
2005269570.tif 000007
【図６】
2005269570.tif 000008
【図７】
2005269570.tif 000009
【図８】
2005269570.tif 000010
【図９】
2005269570.tif 000011
【図１０】
2005269570.tif 000012
【図１１】
2005269570.tif 000013
【図１２】
2005269570.tif 000014
【図１３】
2005269570.tif 000015
【図１４】
2005269570.tif 000016
【図１５】
2005269570.tif 000017
【図１６】
2005269570.tif 000018
【図１７】
2005269570.tif 000019